(57)【要約】      （修正有）【課題】襞付けされたカーテンを搬送、保管等する際に、襞の形状を確実に保持しつつ、折り目や皺等が付くのを防止でき、商品価値を維持できるカーテンの包装用ケース装置を提供する。【解決手段】カーテンを縦方向に伸ばした状態で収納するケース本体１２と、カーテンを収納した状態でカーテンの襞の形状を保持する襞形保持手段１４と、を有するカーテンの包装用ケース装置１０から構成される。【選択図】        図１
2004338732.tif 000002
【特許請求の範囲】
【請求項１】
襞付けされたカーテンを包装するケース装置であって、
カーテンを縦方向に伸ばした状態で収納するケース本体と、
カーテンを収納した状態でカーテンの襞の形状を保持する襞形保持手段と、を有するカーテンの包装用ケース装置。
【請求項２】
襞形保持手段は、カーテンの襞内に配置されその襞山と襞谷に対応して凹凸が交互に繰り返し形成された凹凸部を含む請求項１記載のカーテンの包装用ケース装置。
【請求項３】
凹凸部は、それぞれカーテンの襞山の内側に挿入され襞谷に対応する凹部を両側に形成しつつ間欠配置され、基部から上端側にかけてその横幅を拡大させた楔形の凸部を備えたことを特徴とする請求項２記載のカーテンの包装用ケース装置。
【請求項４】
凸部は、基部とケース本体側との接続部分を支点として幅方向に揺動可能に設けられた請求項２または３記載のカーテンのケース装置。
【請求項５】
ケース本体と凹凸部はそれぞれ薄板材から構成され、
凹凸部は薄板材を凹凸状に折り曲げ形成し、これをケース本体の内部であってカーテンを縦方向に伸ばした状態でその襞形状保持を行うようなカーテンの縦方向位置あるいは幅方向位置の１箇所または複数箇所に固定した請求項２ないし４のいずれかに記載のカーテンの包装用ケース装置。
【請求項６】
カーテンを上面側から載置させて凹凸部をカーテンの襞内に配置させた状態でケース本体を箱状に組付けた際に、カーテンの襞谷を凹部内に収容させた状態でその襞山部分を互いに挟み付けるように隣合う凸部同士と、ケース本体に対する取付位置を設定したことを特徴とする請求項２ないし５のいずれかに記載のカーテンのケース装置。
【請求項７】
カーテンを縦方向に伸ばして凹凸部をカーテンの襞内に配置させた状態で該カーテンの襞谷内にパッキング部材を配置させたことを特徴とする請求項２ないし５のいずれかに記載のカーテン。
【請求項８】
凸部は、カーテンのタック部の各タック取りに係止された吊支用フックに係着されるようにその上端部分の位置が設定されている請求項２ないし７のカーテンの包装用ケース装置。
【請求項９】
カーテンのタック部側に配置される凹凸部の高さは、カーテンのタック部より縦方向で下方側になる部分に配置される他の凹凸部の高さより低く設定され、カーテンが縦方向に略真っすぐに伸びた状態を保持させる請求項２ないし８のいずれかに記載のカーテンの包装用ケースの装置。
【発明の詳細な説明】
【０００１】
【発明の属する技術分野】
本発明は、襞付けされたカーテンを搬送、出荷、保管等するために包装する際に用いられるカーテンの包装用ケース装置に関する。
【０００２】
【従来の技術】
カーテンとして、例えば、図１０に示すように、カーテンの上端側をタック取りして、横断面視円弧状の襞Ｕを襞山Ｕ１及び襞谷Ｕ２を交互に繰り返しながら、縦方向の全長に渡って形成し、例えば、蒸気等によりその形状を固定させたカーテンＫが知られている。この襞Ｕ付けされたカーテンＫは、外観が良く、高級感や優美さ等の点から好まれている。従来、この襞付きカーテンＫを搬送する際には、例えば、全体を横幅方向に複数箇所で折り畳んだ後、縦方向に３つ折りした状態でダンボール箱に箱詰めされて包装されていた。
【０００３】
【発明が解決しようとする課題】
しかしながら、上記従来のカーテンの包装方法では、単に大まかに全体を横折り、縦折りした状態でケース詰め搬送するので、その襞の形状が崩れやすいとともに折り目や皺が付きやすく、襞付きカーテン独特の高級感や優美さ等が失われ、商品価値が低下する等の問題があった。したがって、搬送中に襞がとれたり、折り目や皺が付かないような包装用ケース装置の出現が望まれていた。
【０００４】
一方、カーテンの包装形態に関する提案は少なく、例えば、特開２００２−２８４２４６号公報に開示されている真空包装カーテンでは、プリーツ畳みした折畳みカーテンを包装材に袋詰めして空気を抜くことでカーテンを密封して加圧し、鮮明な折り目を付けたカーテンとするように包装したものである。したがって、この特開２００２−２８４２４６号公報の真空包装では、襞付きカーテンＫの包装に適用すると、かえって襞Ｕの形状がきっちりとした折り目となってしまい、襞の型崩れ防止や、折り目や皺が付くのを防止することは困難であった。
【特許文献１】特開２００２−２８４２４６号公報（明細書段落番号［０００８］、図２）
【０００５】
本発明は、上記従来の課題に鑑みてなされたものであり、その１つの目的は、襞付けされたカーテンを搬送、保管等する際に、横断面円弧状の襞の形状を確実に保持しつつ、不要な折り目や皺等が付くのを防止し、襞付きカーテンの商品価値を維持できるカーテンの包装用ケース装置を提供することにある。さらに、他の目的は、構造が簡単で、低コストで製造できるカーテンの包装用ケース装置を提供することにある。
【０００６】
【課題を解決するための手段】
上記課題を解決するために本発明は、襞付けされたカーテンＫを包装するケース装置であって、カーテンＫを縦方向に伸ばした状態で収納するケース本体１２と、カーテンＫを収納した状態でカーテンＫの襞Ｕの形状を保持する襞形保持手段（１４）と、を有するカーテンの包装用ケース装置１０から構成される。ケース本体１２は、カーテンの大きさに対応した任意の大きさに形成される。ケース本体又は襞形保持手段１４は、例えば、樹脂や厚紙等により形成されるが、ダンボール等を用いると、材料コストが安価で、装置が軽量になり、また再生処理可能な点で優れている。
【０００７】
また、襞形保持手段（１４）は、カーテンＫの襞内に配置されその襞山Ｕ１と襞谷Ｕ２に対応して凹凸が交互に繰り返し形成された凹凸部２０を含むこととしてもよい。凹凸部２０の形状は、例えば、波形状、矩形状、その他任意形状でよい。凹凸部は、ケース本体内でカーテンの縦方向に沿うように長く設けたものを１個だけ配置させてもよく、また、カーテンの縦方向に沿った方向に複数個の凹凸部を離隔させながら配置させることとしてもよい。凹凸部２０は、カーテンＫのタック部Ｔ側に配置される側と、カーテンのタック部Ｔより縦方向で下方側になる部分に配置される側とが同じ高さで設定されていてもよい。しかしながら、カーテンが、タック部側と、タック部側より縦方向で下方側になる部分との襞の起伏に差がある場合には、カーテンＫのタック部Ｔ側に配置される側が、カーテンのタック部Ｔより縦方向で下方側になる部分に配置される側より低く設定すると、カーテンＫが縦方向に略真っすぐに伸びた状態を保持され、カーテンの折り目や皺が付くのを防止できる。
【０００８】
また、凹凸部２０は、それぞれカーテンＫの襞山Ｕ１の内側に挿入され襞谷Ｕ２に対応する凹部２２を両側に形成しつつ間欠配置され、基部から上端側にかけてその横幅を拡大させた楔形の凸部２４を備えたこととしてもよい。凸部の横幅及び隣合う凸部の間隔は、狭すぎると襞の形を保持しにくく、広すぎると装置が大型化するので、カーテンの襞に合わせて適度に設定するとよい。
【０００９】
また、凸部２４は、基部とケース本体１２側との接続部分を支点として幅方向に揺動可能に設けられたこととしてもよい。揺動範囲は任意でもよいが、例えば、凹部の上端側が少なくともその底部の横幅と同程度になるまで揺動できるように設けられると、カーテンの襞谷を凹部に収容しやすい。
【００１０】
また、ケース本体１２と凹凸部２０（２０ａ、２０ｂ、２０ｃ、２０ｄ）はそれぞれ薄板材から構成され、凹凸部２０（２０ａ、２０ｂ、２０ｃ、２０ｄ）は薄板材を凹凸状に折り曲げ形成し、これをケース本体の内部であって、カーテンを縦方向に伸ばした状態でその襞形状保持を行うようなカーテンの縦方向位置あるいは幅方向位置の１箇所または複数箇所に固定したこととしてもよい。凹凸部２０は、一枚の薄板体で必要な数の凹凸を全て形成するようにしてもよいし、１個、２個、又は３個以上の任意の個数の凸部が含まれた凹凸部の一部分を形成させ、それをケース本体１２の横幅方向に複数個並設して構成してもよい。凹凸部のケース本体への固定手段は、例えば、接着剤、両面テープ、ピン又は針止め等による固定、或は、ケース本体側に、切り込みや切り欠き等を設けて、差し込みや嵌合させるようにしてもよく、その他任意の固定手段でもよい。
【００１１】
また、カーテンを上面側から載置させて凹凸部２０をカーテンＫの襞内に配置させた状態でケース本体１２を箱状に組付けた際に、カーテンＫの襞谷Ｕ２を凹部２２内に収容させた状態でその襞山部分を互いに挟み付けるように隣合う凸部２４同士と、ケース本体１２に対する取付位置を設定したこととしてもよい。
【００１２】
また、カーテンＫを縦方向に伸ばして凹凸部２０をカーテンの襞内に配置させた状態で該カーテンＫの襞谷Ｕ２内にパッキング部材２６を配置させたこととしてもよい。パッキング部材２６の形状は、枕状、俵状、球状、又は、断面三角、四角、円形状の細長い棒状、或は、凹凸部と噛み合うような凹凸形状等その他任意のものでよい。パッキング部材２６は、例えば、スポンジ材、発泡材、ゴム部材等、その他任意のものでもよい。特に、ビニル樹脂製や紙製のエアクッション材等を用いると、軽量でカーテン生地を痛めず、さらに、製造コストが安いので好適である。
【００１３】
また、凸部２４は、カーテンＫのタック部Ｔの各タック取りに係止された吊支用フックＦに係着されるようにその上端部分の位置が設定されていることとしてもよい。吊支用フックＦに係着される凸部（端部側凹凸部）は、例えば、一枚のカーテンを配置させるようにケース本体の一箇所に配置されていてもよいし、二枚のカーテンをタック部が重ならないように配置できるように、ケース本体の対向両端側に配置されていてもよい。
【００１４】
また、カーテンＫのタック部Ｔ側に配置される凹凸部２０（２０ａ、２０ｂ）の高さは、カーテンのタック部Ｔより縦方向で下方側になる部分に配置される他の凹凸部２０（２０ｃ、２０ｄ）の高さより低く設定され、カーテンＫが縦方向に略真っすぐに伸びた状態を保持させることとしてもよい。
【００１５】
【発明の実施の形態】
以下添付図面を参照しつつ本発明のカーテンの包装用ケース装置の実施の形態について説明する。本発明のカーテンの包装用ケース装置は、例えば、図１０に示すような襞付きカーテンＫを、例えば、搬送、保管等する際に包装するのに用いられる包装用ケース装置であり、カーテンの断面円弧状の襞Ｕの型崩れ防止及び折り目や皺が付くのを防止することができるケース装置である。
【００１６】
図１ないし図９は、本発明のカーテンの包装用ケース装置（以下、「包装用ケース装置」という）の一実施形態を示しており、この実施形態において包装用ケース装置１０は、図３に示すように、カーテンを縦方向に伸ばした状態で収納するケース本体１２と、カーテンを収納した状態でカーテンの襞の形状を保持する襞形保持装置１４と、を備えている。なお、この実施形態で、カーテンの縦方向とは、カーテンを吊支した際のカーテンの丈に沿う方向（丈方向）であって、襞Ｕに沿った方向とする。
【００１７】
ケース本体１２は、カーテンを縦方向に伸ばした状態で収納してカーテン全体を覆うように包装する中空の箱体である。この実施形態において、ケース本体１２にカーテンを収納した際にカーテンＫの縦方向に沿う方向をケース本体１２の縦幅方向とし、カーテンＫの幅方向に沿う方向をケース本体１２の横幅方向とする。ケース本体１２の縦幅方向の長さは、少なくとも該カーテンの縦方向の長さよりも長く形成される。ケース本体１２は、図１、図２に示すように、例えば、ダンボール製の一枚の薄板体からなり、必要箇所に切れ目１８又は折り目１９が形成され、折り曲げて直方体状の中空ケースに組立られている。ケース本体１２は、長方形状の底壁部１６ａと、底壁部１６ａの各辺の長さに対応して立設した長側壁部１６ｂ及び短側壁部１６ｃと、ケース中空内部の上面側を覆蓋する天壁部１６ｄと、を有している。天壁部１６ｄは、図３にも示すように、横幅方向の中央から左右２分割された天壁半部１６ｄ１、１６ｄ２から構成されている。天壁半部１６ｄ１、１６ｄ２は、各長側壁部１６ｂの上端側で折り曲げるように一体的に接続されており、その接続部分を軸として開閉する。さらに、ケース本体１２は、底壁部１６ａの各辺と長、短側壁部１６ｂ、１６ｃとがその接続部分から曲げ伸ばし自在に一体的に形成されており、必要に応じて天壁部１６ｄ中央の天壁半部１６ｄ１、１６ｄ２の合わせ目から外側に向けて開いて平面板状に展開される。ケース本体１２の内部には、襞形保持装置１４が形成され、カーテンＫを縦方向に伸ばした状態で型崩れしないように収納させる。この実施形態では、ケース本体１２の長手方向が縦幅方向となり、ケース本体の縦幅方向に沿ってカーテンＫを縦方向に伸ばしながら、該カーテンＫとケース本体１２の底壁部１６ａとが対向した状態で収納される。
【００１８】
図１、図２に示すように、襞形保持装置１４は、この実施形態において、ケース本体１２の内部側に配置されており、ケース本体１２を横倒しした状態の縦断面視で上向きの凹凸が交互に繰り返してあらわれる凹凸部２０を有している。凹凸部２０は、図５、図６に示すように、その凹凸がカーテンの襞山Ｕ１と襞谷Ｕ２に対応してケース本体１２の横幅方向に交互に連続して設けられており、カーテンＫを上面側から載置させることによってカーテンＫの襞内に配置されて襞形状を保持する。図３、図４に示すように、凹凸部２０は、この実施形態では、ケース本体１２の縦幅方向の両端側に、第１、第２端部側凹凸部２０ａ、２０ｂが配置され、その中間位置に、第１、第２中間位置凹凸部２０ｃ、２０ｄが、それぞれケース本体１２の縦幅方向に離隔して配置されている。第１、第２端部側凹凸部２０ａ、２０ｂは、カーテンＫのタック部側の襞内に配置されて、カーテンのタック部の各タック取り部分に係止された吊支用フックＦと係着する。第１、第２中間位置凹凸部２０ｃ、２０ｄは、カーテンのタック部側より下方側になる部分とそれぞれ係着する。すなわち、この実施形態において、一のカーテンＫ１を、その上端側のタック取りされたタック部Ｔ１側をＭ位置側に係着させつつ縦方向でタック部の下方になる方をＬ側に向けて伸ばして配置され、他のカーテンＫ２を、前記とは逆にタック部Ｔ２側をＬ位置側に係着させつつそのタック部Ｔ２の下方になる方を前記の一のカーテンＫ１のタック部Ｔ１の下方になる部分と重ね合わせた状態でＭ側に伸ばして配置されるように設けられる。このように、カーテンを配置させることで、２枚のカーテンのタック部が嵩張ることなく、１個のケース本体１２に２枚のカーテンを収納できるので、カーテンの襞形状を保持しつつ保管スペースを節約でき、また、搬送効率を向上させ得る。
【００１９】
この実施形態において、それぞれの凹凸部２０（端部側凹凸部２０ａ、２０ｂ、中間位置凹凸部２０ｃ、２０ｄ、以下同様）は、図５、図６に示すように、底壁部１６ａから上方に向けて突設し、カーテンの襞山Ｕ１の内側に挿入され襞谷Ｕ２に対応する凹部２２を両側に形成しつつ間欠配置された複数個の凸部２４を備えている。各凸部２４は、カーテンの縦方向（襞に沿う方向）にある程度の長さで、基部から上端側にかけてその横幅を拡大させた、例えば、縦断面視逆三角形の楔形状に形成されている。凸部２４は、その長さ方向をケース本体の縦幅方向に沿った向きで横幅方向に並列されながら、それぞれの基部をケース本体１２の底壁部１６ａの上面に接続されて凹凸部を構成している。この実施形態では、凸部２４は、図８（ｂ）にも示すように、ケース本体１２の長側壁部１６ｂが立設した状態で、それぞれの凸部２４が略直立し、その直立状態で隣合う凸部２４の上端が横幅方向で近接するように凸部同士の基部側の間隔が凸部の上端の横幅と略同程度で設定されており、凹部２２を縦断面視略三角形状に形成している。さらに、両外側の凸部は、ケース本体を箱状に組付けた際に、該凸部の上端側が、折り立てた長側壁部１６ｂの内側に近接するように設定されている。さらに、凸部２４は、図７、図８に示すように、基部とケース本体１２との接続部分を軸として、横方向に揺動自在に設けられている。したがって、凸部上端側を左右に揺動させて凹部２２の上端側開口を開閉でき、カーテンを上面側から凹凸部２０に載置させる際に、凸部のカーテンの襞山内側への挿入及び凹部２２へのカーテンの襞谷の収容が簡単に行える。さらに、後述するパッキング部材２６をカーテンの襞谷内に配置させる際にも作業がしやすい。凹凸部２０をカーテンの襞内に配置させた際には、凸部２４の上端側の横幅によって襞山の内側に係着して襞形を保持しつつ、凹部２２内に襞谷を型崩れしないように収容している。図８（ｂ）に示すように、この状態で、ケース本体１２を箱状に組付ける際には、長側壁部１６ｂを底壁部１６ａに対して折り立てるのに伴って凸部が直立して、隣合う凸部２４同士及び両外側凸部と長側壁部１６ｂとでカーテンの襞山部分を挟み付ける。このように隣合う凸部同士及びケース本体に対する取付位置を設定することにより、凹凸部をカーテンの襞内に配置させつつカーテンを縦方向に伸ばした状態を維持し、カーテンの襞の形状を良好に保持でき、折り目や皺がつくのを防止できるとともに、ケース本体１２の横幅方向を狭く設定でき、省スペース化が図れる。なお、図５、図６は、説明のために、一枚のカーテンを凹凸部に配置させた状態を示しているが、上記したように。２枚のカーテンを配置させる場合も同様である。
【００２０】
詳細には、凹凸部２０は、図９に示すように、例えば、ダンボール製の薄板体から構成されており、平板状の薄板を折り曲げ形成することで所要の凹凸を形成している。凹凸部２０を形成するには、例えば、まず、長方形の薄板体を図９（ａ）上、左端側から上下方向に沿って、谷折Ｘ、山折Ｙ、山折Ｙ、谷折Ｘ、谷折Ｘ、山折Ｙ、山折Ｙ、谷折Ｘ、．．．と、順次折り曲げて、図９（ｂ）に示すような端面視矩形波状の凹凸を連続形成する。そして、図９（ｃ）に示すように、該凹凸の凸部の基部側が近接するように下端側を左右から内向きに力を加えて略細長い略逆三角筒状の凸部２４及び略三角筒状の凹部２２を形成し、例えば、接着剤や粘着テープ等の任意の固定手段を介して、凹部２２の底面を底壁部１６ａ上に載置して固定される。これにより、簡単な構成で、凸部の楔形状や揺動可能な構成を低コストで製造できるとともに、包装用ケース装置を軽量に製造できる。さらに、凸部２４は、カーテンの縦方向に沿った方向の両端面側が開口しているので、特に端部側凹凸部２０ａ、２０ｂにおいて、該凸部２４とタック部側の襞とを係合させる際に、簡単にカーテンの吊支用フックＦを係止できる。
【００２１】
さらに、図２、図４に示すように、第１、第２端部側凹凸部２０ａ、２０ｂの凸部２４の高さは、第１、第２中間位置凹凸部２０ｃ、２０ｄの凸部２４の高さより低く設定されている。カーテンＫは、図１０に示すように、上端側をタック取りされていることによって、上端側のタック部側の襞山がその縦方向の下方側の襞山に比べて低く形成されており、タック部側とその下方側とで、襞山谷の起伏幅に差が生じている。よって、上記のように凹凸部２０ａ、２０ｂ、２０ｃ、２０ｄを設定することによって、カーテンＫの襞内に各凹凸部を配置させた際に該カーテンが側面視逆へ字状に曲がることがなく、カーテンＫは縦方向にまっすぐな状態を保持でき、カーテンの型崩れ、及び折り目や皺が付くのを防止できる。
【００２２】
この実施形態において、図５、図６に示すように、カーテンを縦方向に伸ばして凹凸部２０をカーテンの襞内に配置させた状態で該カーテンＫの襞谷内にパッキング部材２６が配置される。パッキング部材２６は、カーテンが凹凸部２０に対して動かないように固定状態を維持し、かつ、カーテンの襞の形状を保持し得る。パッキング部材２６は、図７にも示すように、例えば、可撓性の樹脂製袋の密封内部に空気を圧入して枕状に形成したエアクッション材等からなる。パッキング部材２６は、凸部を揺動させて凹部の上端を広げた状態で該襞谷に挿入されて，枕状の形状により襞谷の形状を保持する。図８（ａ）に示すように、該襞谷に挿入されると凹凸部を略扇形状に広げた状態となる。一方、図８（ｂ）に示すように、ケース本体を箱状に組み付けると、パッキング部材２６は、両側の楔形の凸部２４から挟み付けられ、パッキング自身の弾力性によって変形されつつカーテンを凸部の壁面側に押圧しながら襞谷部分を挟み付け、カーテンを固定状態とする。
【００２３】
次に、本実施形態にかかる包装用ケース装置の作用を説明する。図３、図４に示すように、ケース本体１２を開いた状態で、一のカーテンＫ１を、そのタック部Ｔ１側をＭ位置側に配置させつつのタック部Ｔ１の縦方向で下方側になる部分をＬ位置側に伸ばしながら上面側から配置される。そして、図５、図６にも示すように、吊支用フックＦを第１端部側凹凸部２０ａの凸部２４に係着させ、カーテンＫの襞内に第１端部側凹凸部２０ａ、及び第１、第２中間位置凹凸部２０ｃ、２０ｄをそれぞれ配置させる。このカーテンを配置させる作業は、凸部２４が基部側を中心に揺動可能に設けられているので、簡単に行える。次に、他のカーテンＫ２を一のカーテンＫ１とは縦方向が逆方向となるように、Ｌ位置側の第２端部側凹凸部２０ｂにタック部Ｔ２側を係着させつつタック部Ｔ２の縦方向の下方側を前記の一のカーテンＫ１のタック部Ｔ１の下方になる部分と重ね合わせた状態で、Ｍ側に向けて伸ばしながら上面側から配置される。２枚のカーテンを縦方向に伸ばしてその襞内に凹凸部を配置させた状態で、凹部２２内に収容された各襞谷内部にパッキング部材２６を配置させる。図８（ａ）（ｂ）に示すように、パッキング部材の体積により凹凸部が扇型状に開いた状態からケース本体を箱状に組付けると、長側壁部１６ｂを折り曲げ立設させるのに伴って、凸部２４がそれぞれ直立するとともに凸部によってパッキング部材２６が挟み付けられる。この際、凸部によって襞山の形を保持しながら隣合う凸部同士及び長側壁部１６ｂがカーテンの襞山部分を挟み付けると同時にパッキング部材２６と凸部２４及び長側壁部１６ｂとが協働して、カーテンの襞山及び襞谷形状を保持しつつカーテンをケース本体内で係止させる。特に実施形態の様にパッキング部材２６を弾性体で構成することにより、凹凸部２０上に載置したカーテンの襞を弾性的に挟み付けることができ、梱包時の作業性とともに、凹凸部の幅方向の嵩張りも吸収できる上に、布地を傷めにくい。よって、搬送、保管する際に、型崩れを防止できるとともに折り目や皺が付くのを防止することができる。ケース本体を箱状に組付けた後には、例えば、粘着テープや、結束紐等により、箱形状を維持させる。また、ケース本体を段積み状にすると、省スペース化や大量輸送することができる。一方、家庭等でカーテンを吊るす場合には、上記とは逆に、ケース本体を展開して、各パッキング部材２６を取りだし、吊支用フックＦを端部側凹凸部から離脱させて、カーテンを上面側に取り外す。包装用ケース装置１０から取り出したカーテンは、襞の型崩れ、折り目や皺もなく、商品を仕上げ後の状態と同じ状態であり、吊支用フックを介して窓等にかけることができる。
【００２４】
本発明のカーテンの包装用ケース装置は、上記した実施の形態に限定されるものではなく特許請求の範囲に記載した発明の本質を逸脱しない範囲において任意の改変を行ってよい。
【００２５】
【発明の効果】
上記したように本発明のカーテンの包装用ケース装置によれば、襞付けされたカーテンを包装するケース装置であって、カーテンを縦方向に伸ばした状態で収納するケース本体と、カーテンを収納した状態でカーテンの襞の形状を保持する襞形保持手段と、を有する構成であるから、襞付けされたカーテンを搬送、保管等する際に、横断面円弧状の襞の形状を確実に保持しつつ、不要な折り目や皺等が付くのを防止し、襞付きカーテンの商品価値を維持できる。また、ケース装置を段積みさせて、省スペース化及び大量輸送することができる。
【００２６】
また、襞形保持手段は、カーテンの襞内に配置されその襞山と襞谷に対応して凹凸が交互に繰り返し形成された凹凸部を含む構成とすることにより、カーテンの襞の形状を良好に保持し得るとともに、カーテンを上面側から載置状に配置させるだけでよくカーテンの収納または離脱作業が簡単に行える。
【００２７】
また、凹凸部は、それぞれカーテンの襞山の内側に挿入され襞谷に対応する凹部を両側に形成しつつ間欠配置され、基部から上端側にかけてその横幅を拡大させた楔形の凸部を備えた構成とすることにより、襞の形状を保持できる凹凸部を具体的に実現できるとともに、ケース本体の横幅を狭く形成して省スペース化を図れる。また、パッキング部材を凹部内に配置させたカーテンの襞谷内に配置させた場合に、該パッキング部材が離脱しにくく、カーテンの襞を保持した状態を長時間形維持できる。
【００２８】
また、凸部は、基部とケース本体側との接続部分を支点として幅方向に揺動可能に設けられた構成とすることにより、カーテンを上面側から凹凸部に載置させる際に、凸部を揺動させることができ、襞内に凹凸部を配置させる作業がしやすい。また、パッキング部材等を襞内に配置させる場合にも、同様に作業しやすい。
【００２９】
また、ケース本体と凹凸部はそれぞれ薄板材から構成され、凹凸部は薄板材を凹凸状に折り曲げ形成し、これをケース本体の内部であって、カーテンを縦方向に伸ばした状態でその襞形状保持を行うようなカーテンの縦方向位置あるいは幅方向位置の１箇所または複数箇所に固定した構成とすることにより、凹凸部の構成を簡単に構成でき、ケース装置全体を低コストで容易に製造できる。
【００３０】
また、カーテンを上面側から載置させて凹凸部をカーテンの襞内に配置させた状態でケース本体を箱状に組付けた際に、カーテンの襞谷を凹部内に収容させた状態でその襞山部分を互いに挟み付けるように隣合う凸部同士と、ケース本体に対する取付位置を設定した構成とすることにより、襞形状を良好に保持できるとともに、カーテンが凹凸部に対して動きにくくなってカーテンを伸ばした状態を保持でき、折り目や皺が付くのを防止する。
【００３１】
また、カーテンを縦方向に伸ばして凹凸部をカーテンの襞内に配置させた状態で該カーテンの襞谷内にパッキング部材を配置させた構成とすることにより、襞の形状を保持できるとともにカーテンが動かないように固定状態とし、カーテンを伸ばした状態を保持し折り目や皺がつくのを防止できる。
【００３２】
また、凸部は、カーテンのタック部の各タック取りに係止された吊支用フックに係着されるようにその上端部分の位置が設定されている構成とすることにより、カーテンのタック部側を固定するとともに襞形状の保持ができ、ケース本体内部で、カーテンが動きにくく、折り目や皺が付くのを防止できる。
【００３３】
また、カーテンのタック部側に配置される凹凸部の高さは、カーテンのタック部より縦方向で下方側になる部分に配置される他の凹凸部の高さより低く設定され、カーテンが縦方向に略真っすぐに伸びた状態を保持させる構成とすることにより、凹凸部をカーテンのタック取りによる襞の起伏差等に合わせて設計して、カーテンに折り目や皺がつくのを防止できる。
【図面の簡単な説明】
【図１】本発明の実施形態のカーテンの包装用ケース装置の一部切欠斜視図である。
【図２】図１の包装用ケース装置のケース本体を展開した状態の斜視図である。
【図３】図２の包装用ケース装置の平面説明図である。
【図４】図２の包装用ケース装置の側面説明図である。
【図５】図４の包装用ケース装置にカーテンを配置させた状態でのＡ−Ａ線断面説明図である。
【図６】図４の包装用ケース装置にカーテンを配置させた状態でのＢ−Ｂ線断面説明図である。
【図７】凹凸部及びパッキング部材の一部拡大斜視説明図である。
【図８】ケース本体及び凸部の作用説明図である。
【図９】凹凸部の形成の詳細説明図である。
【図１０】襞付きカーテンの一部斜視説明図である。
【符号の説明】
１０  包装用ケース装置
１２  ケース本体
１４  襞形保持装置
２０  凹凸部
２２  凹部
２４  凸部
２６  パッキング部材
【図１】
2004338732.tif 000003
【図２】
2004338732.tif 000004
【図３】
2004338732.tif 000005
【図４】
2004338732.tif 000006
【図５】
2004338732.tif 000007
【図６】
2004338732.tif 000008
【図７】
2004338732.tif 000009
【図８】
2004338732.tif 000010
【図９】
2004338732.tif 000011
【図１０】
2004338732.tif 000012